(57)【要約】【課題】複数本の部品実装ラインを１台の実装ライン監視装置で監視でき、かつ、稼働率等の推移をリアルタイムに表示できる実装ライン監視システムを提供する。【解決手段】複数の部品実装ラインのそれぞれのラインについて、少なくとも稼働率、吸着率、実装率を算出するためのデータを該複数の部品実装ラインから受信して蓄えることができるデータベースサーバ１２と、前記複数の部品実装ラインのそれぞれのラインについて、少なくとも稼働率、吸着率、実装率を算出するためのデータを該データベースサーバ１２から受信して、前記複数の部品実装ラインのそれぞれのラインについて、少なくとも稼働率、吸着率、実装率の推移をリアルタイムに画面上に表示でき、さらに、少なくとも稼働率、吸着率、実装率についての基準値を指定でき、該基準値を下回った部品実装ラインについて、画面上に警告を表示する１台の実装ライン監視装置１４と、を設ける。【選択図】図１
2008251714.tif 000002
【特許請求の範囲】
【請求項１】
複数の部品実装ラインの生産状況を監視する実装ライン監視システムにおいて、
複数の部品実装ラインと接続されて、該複数の部品実装ラインのそれぞれのラインについて、少なくとも稼働率、吸着率、実装率を算出するためのデータを該複数の部品実装ラインから受信して蓄えることができるデータベースサーバと、
該データベースサーバに接続され、前記複数の部品実装ラインのそれぞれのラインについて、少なくとも稼働率、吸着率、実装率を算出するためのデータを該データベースサーバから受信して、前記複数の部品実装ラインのそれぞれのラインについて、少なくとも稼働率、吸着率、実装率の推移をリアルタイムに画面上に表示でき、さらに、前記複数の部品実装ラインについて、少なくとも稼働率、吸着率、実装率についての基準値を指定でき、該基準値を下回った部品実装ラインについて、画面上に警告を表示する１台の実装ライン監視装置と、を有し、
１台の実装ライン監視装置で複数の部品実装ラインの生産状況を監視できることを特徴とする実装ライン監視システム。
【請求項２】
前記１台の実装ライン監視装置は、前記複数の部品実装ライン中の全ての部品実装装置の少なくとも稼働率、吸着率、実装率を算出するためのデータを該データベースサーバから受信して、前記複数の部品実装ラインのラインごとに部品実装装置の稼働率、吸着率、実装率をリアルタイムに表示でき、さらに前記複数の部品実装ライン中の全ての部品供給装置の少なくとも稼働率、吸着率、実装率を算出するためのデータを該データベースサーバから受信して、部品実装装置ごとに部品供給装置の稼働率、吸着率、実装率をリアルタイムに表示できる手段を有することを特徴とする請求項１に記載の実装ライン監視システム。
【請求項３】
前記データベースサーバは、前記複数の部品実装ラインから生産実績データを受信して蓄えることができ、前記１台の実装ライン監視装置は、前記データベースサーバから生産実績データを受信して生産実績タクトを計算して、該生産実績タクトに基づき生産終了予想時間を計算して表示する手段を有することを特徴とする請求項１又は２に記載の実装ライン監視システム。
【請求項４】
前記１台の実装ライン監視装置は、前記稼働率を算出するための計算式を変更できる手段を有することを特徴とする請求項１〜３のいずれかに記載の実装ライン監視システム。
【発明の詳細な説明】
【技術分野】
【０００１】
本発明は、部品実装装置の実装ライン監視装置に関する。
【背景技術】
【０００２】
部品実装装置についての従来の実装ライン監視装置では、生産中の稼働率、生産実績情報（生産終了数等）や生産状況（生産中、停止中、生産終了）について、現在時点の情報を表示（ステータス表示）するのみで、過去の情報を含めた情報である稼働率の推移を確認することができず、また、稼働率低下の原因解析をリアルタイムに行うことができなかった。
【０００３】
これに対して、特許文献１には、「生産設備または生産ラインから生産タクト実績値を含むタクト情報を収集し、前記収集したタクト情報を分析した結果、前記生産設備の生産動作に標準の生産タクトより伸びた余分なタクトであるタクトロスがあると判明した場合、前記生産設備を動作させるＮＣデータを、前記タクトロスを減少させる内容に修正して前記生産設備または生産ラインへフィードバックする稼働分析装置」が記載されている。
【０００４】
【特許文献１】特開２００５−１６７２２０号公報
【発明の開示】
【発明が解決しようとする課題】
【０００５】
しかしながら、特許文献１に記載されている実施形態では、１本の部品実装ラインに１つの管理装置が設けられており（００６９段落）、コストアップにつながる。また、運転時に複数の管理装置で管理することは効率的ではない。なお、特許文献１の００７５段落には、複数本の部品実装ラインに１つの管理装置を設けたものであっても構わないと記載されているが、その具体的構成は記載されていない。
【０００６】
本発明は、かかる問題点に鑑みてなされたものであって、複数本の部品実装ラインを１台の実装ライン監視装置で監視でき、かつ、稼働率、吸着率、実装率の推移をリアルタイムに表示できる実装ライン監視システムを提供することを課題とする。
【０００７】
さらに、稼働率、吸着率、実装率が低下した場合の原因解析を行うことができる実装ライン監視システムを提供することも課題とする。
【課題を解決するための手段】
【０００８】
本発明者は、前記課題を解決するため鋭意研究開発をした結果、複数の部品実装ラインと１台の実装ライン監視装置との間に、該複数の部品実装ラインのそれぞれのラインについて、少なくとも稼働率、吸着率、実装率についてのデータを該複数の部品実装ラインから受信して蓄えることができるデータベースサーバを設けることが前記課題を解決する上で効果的であることを見出し、本発明をするに至った。
【０００９】
即ち、本発明に係る実装ライン監視システムは、複数の部品実装ラインの生産状況を監視する実装ライン監視システムにおいて、複数の部品実装ラインと接続されて、該複数の部品実装ラインのそれぞれのラインについて、少なくとも稼働率、吸着率、実装率を算出するためのデータを該複数の部品実装ラインから受信して蓄えることができるデータベースサーバと、該データベースサーバに接続され、前記複数の部品実装ラインのそれぞれのラインについて、少なくとも稼働率、吸着率、実装率を算出するためのデータを該データベースサーバから受信して、前記複数の部品実装ラインのそれぞれのラインについて、少なくとも稼働率、吸着率、実装率の推移をリアルタイムに画面上に表示でき、さらに、前記複数の部品実装ラインについて、少なくとも稼働率、吸着率、実装率についての基準値を指定でき、該基準値を下回った部品実装ラインについて、画面上に警告を表示する１台の実装ライン監視装置と、を有し、１台の実装ライン監視装置で複数の部品実装ラインの生産状況を監視できることを特徴とする。
【００１０】
前記１台の実装ライン監視装置は、前記複数の部品実装ライン中の全ての部品実装装置の少なくとも稼働率、吸着率、実装率を算出するためのデータを該データベースサーバから受信して、前記複数の部品実装ラインのラインごとに部品実装装置の稼働率、吸着率、実装率をリアルタイムに表示でき、さらに前記複数の部品実装ライン中の全ての部品供給装置の少なくとも稼働率、吸着率、実装率を算出するためのデータを該データベースサーバから受信して、部品実装装置ごとに部品供給装置の稼働率、吸着率、実装率をリアルタイムに表示できる手段を有することが好ましい。
【００１１】
前記データベースサーバは、前記複数の部品実装ラインから生産実績データを受信して蓄えることができ、前記１台の実装ライン監視装置は、前記データベースサーバから生産実績データを受信して生産実績タクトを計算して、該生産実績タクトに基づき生産終了予想時間を計算して表示する手段を有することが好ましい。
【００１２】
前記１台の実装ライン監視装置は、前記稼働率を算出するための計算式を変更できる手段を有することが好ましい。
【発明の効果】
【００１３】
本発明によれば、１台の実装ライン監視装置で複数の部品実装ラインの生産状況を監視できるので、監視装置のコストを抑えることができ、また、監視を効率的に行うことができる。
【００１４】
また、実装ライン監視装置に、複数の部品実装ラインのラインごとに部品実装装置の稼働率、吸着率、実装率を表示でき、さらに該部品実装装置ごとに部品供給装置の稼働率、吸着率、実装率を表示できる手段を備えさせた場合、稼働率、吸着率、実装率の低下の原因解析を直ちに行うことができ、生産性を向上させることができる。
【００１５】
さらに、実装ライン監視装置に、生産実績タクトを計算させ、計算した生産実績タクトに基づき生産終了予想時間を計算して表示できるようにした場合、正確な生産終了予想時間を把握することができ、生産管理を行いやすくなる。
【００１６】
さらにまた、実装ライン監視装置に、稼働率を算出するための計算式を変更できる手段を備えさせた場合、生産内容に応じて稼働率を算出するための計算式を最適なものに変更することができ、監視をより的確に行うことができる。
【発明を実施するための最良の形態】
【００１７】
以下、図面を参照して本発明の実施形態を詳細に説明する。
【００１８】
図１は、本発明に係る実装ライン監視システム１０の構成を模式的に示す図である。実装ライン監視システム１０は、実装ライン１〜３と、該実装ライン１〜３に含まれる各部品実装装置（マウンタ１ａ〜１ｃ、２ａ〜２ｃ、３ａ〜３ｃ）と、データベースサーバ１２と、実装ライン監視装置１４と、通信手段であるネットワーク１６とから構成されている。
【００１９】
前記実装ライン１〜３、および該実装ライン１〜３に含まれるマウンタ１ａ〜１ｃ、２ａ〜２ｃ、３ａ〜３ｃは、ネットワーク１６によりデータベースサーバ１２に接続されている。また、実装ライン監視装置１４は、ネットワーク１６によりデータベースサーバ１２に接続されている。
【００２０】
データベースサーバ１２は、実装ライン１〜３、マウンタ１ａ〜１ｃ、２ａ〜２ｃ、３ａ〜３ｃについての生産管理情報、マシン情報、生産状況等の情報を蓄えることができる。生産管理情報には、部品吸着数、部品搭載数、吸着ミスの数、搭載ミスの数等がある。マシン情報には、マウンタの機種や部品供給装置の機種等がある。生産状況には、生産中、停止中、生産終了がある。
【００２１】
実装ライン監視装置１４は、生産管理情報等から、実装ラインごと及びマウンタごとの稼働率、吸着率、実装率を算出して、画面上に表示することができる。
【００２２】
ネットワーク１６は、実装ライン１〜３、マウンタ１ａ〜１ｃ、２ａ〜２ｃ、３ａ〜３ｃとデータベースサーバ１２との間、及びデータベースサーバ１２と実装ライン監視装置１４との間を接続しており、それらの間でデータや指令の送受信を可能にしている。
【００２３】
図２は、本発明に係る実装ライン監視システム１０におけるデータや指令の送受信を模式的に示す図である。なお、図２においてはマウンタ１ａのみを描いているが、マウンタ１ｂ、１ｃ、２ａ〜２ｃ、３ａ〜３ｃについても同様にデータや指令の送受信をしている。
【００２４】
データベースサーバ１２は、生産管理情報、マシン情報、生産状況等の情報をマウンタ１ａ〜１ｃ、２ａ〜２ｃ、３ａ〜３ｃに例えば時間間隔５分ごとに要求する。そして、その要求に応じて、マウンタ１ａ〜１ｃ、２ａ〜２ｃ、３ａ〜３ｃはそれらの情報を例えば時間間隔５分ごとにデータベースサーバ１２に送信する。データベースサーバ１２はデータ保存部１２Ａを有しており、受信した生産管理情報、マシン情報、生産状況等の情報をデータ保存部１２Ａに保存する。時間間隔５分を極端に短くすることにより、データベースサーバ１２はリアルタイムに前記情報を取得することができることになる。なお、データ保存部１２Ａは、データベースサーバ１２に内蔵させても、外部に別途設置してもよい。
【００２５】
実装ライン監視装置１４は、生産管理情報、マシン情報、生産状況等の情報をデータベースサーバ１２に例えば時間間隔５分ごとに要求する。そして、その要求に応じて、データベースサーバ１２はそれらの情報を例えば時間間隔５分ごとに実装ライン監視装置１４に送信する。時間間隔５分を極端に短くすることにより、データベースサーバ１２はリアルタイムに前記情報を取得することができることになる。なお、実装ライン監視装置１４の外部入力機構から、生産管理情報、マシン情報、生産状況等の情報をデータベースサーバ１２に要求する指令を入力することで、データベースサーバ１２にマウンタ１ａ〜１ｃ、２ａ〜２ｃ、３ａ〜３ｃに生産管理情報、マシン情報、生産状況等の情報を送信させる指令を発せさせることができ、リアルタイムにそれらの情報を取得することもできる。
【００２６】
実装ライン監視装置１４は、データベースサーバ１２から送信された生産管理情報等から、実装ラインごとの稼働率、吸着率、実装率を算出して、例えば図３に示すように、画面上の上部には表形式で表示し、下部にはグラフ形式で表示する。稼働率、吸着率、実装率のいずれについて表示するかは、作業者が実装ライン監視装置１４の外部入力機構を操作することで決定することができる。なお、図３は実装ラインが５本の場合について、実装ラインの稼働率を表示している例である。
【００２７】
実装ライン監視装置１４においては、稼働率、吸着率、実装率の基準値を作業者が適宜入力して設定することができ、実装ラインの稼働率の基準値を例えば９８％に設定することができる。そして、実装ラインの稼働率、吸着率、実装率の値が基準値を下回った場合、図４に示すように、実装ライン監視装置１４は、その実装ラインのグラフを例えば赤色で表示し、作業者に警告を発する。また、図５に示すように、実装ライン監視装置１４は、その実装ラインの表における文字を反転して表示し、作業者に警告を発する。なお、図４で基準値を下回ったライン３は、実際の実装ライン監視装置１４の画面上では例えば赤色で表示されるが、表現の都合上、図４ではライン３を破線で表示しており、また、図５で基準値を下回ったライン３の行の文字は、実際の実装ライン監視装置１４の画面上では文字が反転されて表示されるが、表現の都合上、図５ではライン３の行にハッチングを付して表示している。図６〜８におけるハッチングも同様である。また、図４は、図３のグラフを拡大して表示したもので、図５は、図３の表を拡大して表示したものである。
【００２８】
さらに、実装ライン監視装置１４は、データベースサーバ１２から送信された生産管理情報等から、実装ラインごとに各マウンタ及び各部品供給装置の稼働率、吸着率、実装率も算出し、図３に示す画面と同様に、画面上の上部には表形式で表示し、下部にはグラフ形式で表示できるようになっている。
【００２９】
例えば、図３〜５に示すように、実装ラインの稼働率は実装ライン３の稼働率が低くなっているので、その原因を調べるために図５の「ライン３」の文字をダブルクリックすると、図６に示すように実装ライン３のマウンタ３ａ〜３ｅの稼働率、吸着率、実装率等のデータが表示される。図６を見ると、マウンタ３ｃの稼働率、吸着率、実装率の値が低く文字が反転して表示されているので、さらにその原因を調べるために図６の「マウンタ３ｃ」の文字をダブルクリックすると、図７に示すようにマウンタ３ｃの部品供給装置３ｃａ〜３ｃｅについての生産管理情報である総吸着回数、吸着数、搭載数、吸着エラー数、吸着率が表示される。図７を見ると、部品供給装置３ｃｃの吸着率が８０．００％と低く、部品供給装置３ｃｃについての文字が反転して表示され、部品供給装置３ｃｃに問題があったことが判明する。
【００３０】
このようにダブルクリックすることで、図８に示すように、全ライン情報画面（図５）→マウンタ情報画面（図６）→部品供給装置情報画面（図７）のように画面を切り替えることができるので、実装ラインの稼働率、吸着率、実装率の低下の原因解析を簡単に行うことができる。
【００３１】
通常の監視中においては、実装ライン監視装置１４の画面は、基板の生産予定枚数、生産実績枚数、生産予想枚数を図９に示すグラフで表示する。図９において、実線は生産前に設定された生産予定枚数と生産終了予定時刻を示し、長い破線は生産実績枚数を示し、細かい破線は生産実績から算出された生産実績タクトに基づき算出された生産予想枚数と生産終了予想時刻を示す。生産予想枚数と生産終了予想時刻は、生産実績タクトから一定の時間間隔（例えば１０分）で再計算され、図９に示すグラフ上に反映されて、確度の高い生産終了予想時刻が表示される。図９に示す表示画面から図３に示す表示画面への切り換えは、実装ライン監視装置１４の外部入力機構を操作することで簡単に行うことができる。
【００３２】
稼働率については、計算式を変更できるようになっている。図１０に示すように、データベースサーバ１２に蓄えられた生産管理情報から取得可能な項目を選択して、例えばパラメータＡをライン生産時間とし、パラメータＢをライン停止時間として指定し、そして例えば下記式（１）のように計算式を入力することで、稼働率の計算式を生産内容にあわせて適切なものに変更することができる。
【００３３】
Ａ／（Ａ＋Ｂ）…………………………………………（１）
【００３４】
以上説明したように、実装ライン監視システム１０は、１台の実装ライン監視装置１４で複数の部品実装ラインの生産状況を監視できるので、監視装置のコストを抑えることができ、また、監視を効率的に行うことができる。
【００３５】
また、図３〜８に示すように、実装ライン監視装置１４に、複数の部品実装ラインのラインごとに部品実装装置の稼働率、吸着率、実装率をリアルタイムに表示でき、さらに該部品実装装置ごとに部品供給装置の稼働率、吸着率、実装率をリアルタイムに表示できる手段を備えさせているので、稼働率、吸着率、実装率の低下の原因解析を直ちに行うことができ、生産性を向上させることができる。
【００３６】
さらに、実装ライン監視装置に、生産実績タクトを計算させ、図９に示すように、計算した生産実績タクトに基づき生産終了予想時間を計算して表示できるようにしているので、正確な生産終了予想時間を把握することができ、生産管理を行いやすい。
【００３７】
さらにまた、図１０に示すように、実装ライン監視装置１４に、前記稼働率を算出するための計算式を変更できる手段を備えさせているので、生産内容に応じて稼働率を算出するための計算式を最適なものに変更することができ、監視をより的確に行うことができる。
【図面の簡単な説明】
【００３８】
【図１】本発明に係る実装ライン監視システムの構成を模式的に示す図
【図２】上記実装ライン監視システムにおけるデータや指令の送受信を模式的に示す図
【図３】実装ライン監視装置の表示画面例（全ライン情報画面）を示す図
【図４】図３のグラフを拡大して表示した図
【図５】図３の表を拡大して表示した図
【図６】マウンタ情報画面の表を拡大して表示した図
【図７】部品供給装置情報画面の表を拡大して表示した図
【図８】実装ラインの稼働率、吸着率、実装率の低下の原因解析を行うための画面の切り換えを示す図
【図９】基板の生産予定枚数、生産実績枚数、生産予想枚数を示すグラフ図
【図１０】稼働率の計算式の入力画面を示す図
【符号の説明】
【００３９】
１、２、３…実装ライン
１ａ、１ｂ、１ｃ、２ａ、２ｂ、２ｃ、３ａ、３ｂ、３ｃ…マウンタ
１０…実装ライン監視システム
１２…データベースサーバ
１２Ａ…データ保存部
１４…実装ライン監視装置
１６…ネットワーク
【図１】
2008251714.tif 000003
【図２】
2008251714.tif 000004
【図３】
2008251714.tif 000005
【図４】
2008251714.tif 000006
【図５】
2008251714.tif 000007
【図６】
2008251714.tif 000008
【図７】
2008251714.tif 000009
【図８】
2008251714.tif 000010
【図９】
2008251714.tif 000011
【図１０】
2008251714.tif 000012
【手続補正書】
【提出日】平成20年2月22日(2008.2.22)
【手続補正２】
【補正対象書類名】明細書
【補正対象項目名】０００１
【補正方法】変更
【補正の内容】
【０００１】
本発明は、部品実装装置の実装ライン監視システムに関する。